(57)【要約】【課題】コンテンツの視聴状況を視聴者ごとに正確に把握して記録することができるコンテンツ管理システムを提供すること。【解決手段】コンテンツを表示する表示装置１０１と、コンテンツの視聴領域に存在する視聴者を携帯型情報記憶媒体により識別する視聴者識別装置１０２と、視聴者識別装置１０２が識別した視聴者を撮影する撮像装置１０３と、表示装置１０１に表示するコンテンツを管理し、コンテンツの表示を制御する表示制御装置１１０と、を備えたコンテンツ管理システムにおいて、表示制御装置１１０は、視聴者識別装置１０２が識別した視聴者の情報および撮像装置１０３が撮影した画像に基づき、視聴者の視聴状況を認識する視聴状況認識手段１１１と、表示装置１０１が表示しているコンテンツと、視聴状況認識手段１１１が認識した視聴状況とを対応付けて記憶する視聴状況記憶手段１１６と、を備えた。【選択図】        図１
2006260275.tif 000002
【特許請求の範囲】
【請求項１】
コンテンツを表示する表示装置と、
前記表示装置に表示されたコンテンツの視聴が可能な領域である視聴領域に存在する視聴者を、前記視聴者が保有する携帯型情報記憶媒体により識別する視聴者識別装置と、
前記視聴者識別装置が識別した前記視聴者を撮影する撮像装置と、
前記表示装置に表示するコンテンツを管理し、コンテンツの表示を制御する表示制御装置と、を備えたコンテンツ管理システムにおいて、
前記表示制御装置は、
前記視聴者識別装置が識別した前記視聴者の情報および前記撮像装置が撮影した画像に基づき、前記視聴者の視聴状況を認識する視聴状況認識手段と、
前記表示装置が表示しているコンテンツと、前記視聴状況認識手段が認識した前記視聴状況とを対応付けて記憶する視聴状況記憶手段と、
を備えたことを特徴とするコンテンツ管理システム。
【請求項２】
コンテンツを表示する表示装置と、
前記表示装置に表示されたコンテンツの視聴が可能な領域である視聴領域に存在する視聴者を、前記視聴者が保有する携帯型情報記憶媒体により識別する視聴者識別装置と、
前記視聴者識別装置が識別した前記視聴者を撮影する撮像装置と、
前記表示装置に表示するコンテンツを管理し、コンテンツの表示を制御する表示制御装置と、
前記視聴者識別装置が識別した前記視聴者の情報および前記撮像装置が撮影した画像および表示するコンテンツを含むコンテンツに関する情報の送受信を行う通信装置と、を備えたコンテンツ管理システムにおいて、
前記表示制御装置は、
少なくとも１つの前記通信装置との間で前記コンテンツに関する情報の送受信を行う通信手段をさらに備え、
前記通信手段が受信した前記視聴者の情報および前記撮像装置が撮影した画像に基づき、前記視聴者の視聴状況を認識する視聴状況認識手段と、
前記表示装置が表示しているコンテンツと、前記視聴状況認識手段が認識した前記視聴状況とを対応付けて記憶する視聴状況記憶手段と、
を備えたことを特徴とするコンテンツ管理システム。
【請求項３】
前記表示制御装置は、前記視聴状況記憶手段に記憶された前記視聴状況に基づいて前記表示装置に表示すべきコンテンツを判断する判断手段をさらに備えたことを特徴とする請求項１または２に記載のコンテンツ管理システム。
【請求項４】
前記視聴状況認識手段は、前記視聴状況として前記視聴者の顔の向きまたは視線の方向を認識し、
前記判断手段は、前記視聴状況記憶手段に記憶された前記視聴者の顔の向きまたは視線の方向に基づいて前記表示装置に表示すべきコンテンツを判断することを特徴とする請求項３に記載のコンテンツ管理システム。
【請求項５】
前記視聴状況認識手段は、前記視聴状況として前記視聴者が前記視聴領域に存在するか否かを認識し、
前記判断手段は、前記視聴者が前記視聴領域に存在するか否かに基づいて前記表示装置に表示すべきコンテンツを判断することを特徴とする請求項３に記載のコンテンツ管理システム。
【請求項６】
前記視聴状況認識手段は、前記視聴状況として前記視聴者の顔の表情を認識し、
前記判断手段は、前記視聴状況記憶手段に記憶された前記視聴者の顔の表情に基づいて前記表示装置に表示すべきコンテンツを判断することを特徴とする請求項３に記載のコンテンツ管理システム。
【請求項７】
コンテンツを視聴している視聴者が発する音声を入力する音声入力装置をさらに備え、
前記視聴状況認識手段は、前記音声入力装置が入力した音声に基づき、前記視聴状況として前記視聴者のコンテンツに対する反応を認識し、
前記判断手段は、前記視聴状況記憶手段に記憶された前記視聴者のコンテンツに対する反応に基づいて前記表示装置に表示すべきコンテンツを判断することを特徴とする請求項３に記載のコンテンツ管理システム。
【請求項８】
前記表示制御装置は、前記表示装置に表示するコンテンツと、コンテンツを表示する優先順位とを対応付けて記憶するコンテンツ記憶手段をさらに備え、
前記判断手段は、前記コンテンツ記憶手段に記憶された前記優先順位と、前記視聴状況とに基づいて前記表示装置に表示すべきコンテンツを判断することを特徴とする請求項３〜７のいずれか１つに記載のコンテンツ管理システム。
【請求項９】
前記表示制御装置は、前記判断手段が表示すべきと判断したコンテンツの視聴を促す情報を視聴者に通知する通知手段をさらに備えたことを特徴とする請求項３〜８のいずれか１つに記載のコンテンツ管理システム。
【請求項１０】
表示装置に表示するコンテンツの視聴が可能な領域である視聴領域に存在する視聴者を、前記視聴者が保有する携帯型情報記憶媒体により識別する視聴者識別装置が識別した前記視聴者の情報および前記視聴者を撮影する撮像装置が撮影した画像の入力を受付け、受付けた前記視聴者の情報および前記撮影した画像に基づき、前記視聴者の視聴状況を認識する視聴状況認識手段と、
前記表示装置が表示しているコンテンツと、前記視聴状況認識手段が認識した前記視聴状況とを対応付けて記憶する視聴状況記憶手段と、
前記視聴状況記憶手段に記憶された前記視聴状況に基づいて前記表示装置に表示すべきコンテンツを判断する判断手段と、
前記判断手段が表示すべきと判断したコンテンツを出力する出力手段と、
を備えたことを特徴とする表示制御装置。
【請求項１１】
前記視聴者識別装置が識別した前記視聴者の情報および前記撮像装置が撮影した画像の送受信を行う通信手段をさらに備え、
前記視聴状況認識手段は、前記通信手段が受信した前記視聴者の情報および前記撮像装置が撮影した画像の入力を受付け、受付けた前記視聴者の情報および前記撮影した画像に基づき、前記視聴者の視聴状況を認識することを特徴とする請求項１０に記載の表示制御装置。
【請求項１２】
前記視聴状況認識手段は、前記視聴状況として前記視聴者の顔の向きまたは視線の方向を認識し、
前記判断手段は、前記視聴状況記憶手段に記憶された前記視聴者の顔の向きまたは視線の方向に基づいて前記表示装置に表示すべきコンテンツを判断することを特徴とする請求項１０または１１に記載の表示制御装置。
【請求項１３】
前記視聴状況認識手段は、前記視聴状況として前記視聴者が前記視聴領域に存在するか否かを認識し、
前記判断手段は、前記視聴者が前記視聴領域に存在するか否かに基づいて前記表示装置に表示すべきコンテンツを判断することを特徴とする請求項１０または１１に記載の表示制御装置。
【請求項１４】
前記視聴状況認識手段は、前記視聴状況として前記視聴者の顔の表情を認識し、
前記判断手段は、前記視聴状況記憶手段に記憶された前記視聴者の顔の表情に基づいて前記表示装置に表示すべきコンテンツを判断することを特徴とする請求項１０または１１に記載の表示制御装置。
【請求項１５】
前記視聴状況認識手段は、音声入力装置が入力したコンテンツを視聴している視聴者が発する音声の入力を受付け、受付けた音声に基づいて前記視聴状況として前記視聴者のコンテンツに対する反応を認識し、
前記判断手段は、前記視聴状況記憶手段に記憶された前記視聴者のコンテンツに対する反応に基づいて前記表示装置に表示すべきコンテンツを判断することを特徴とする請求項１０または１１に記載の表示制御装置。
【請求項１６】
前記表示装置に表示するコンテンツと、コンテンツを表示する優先順位とを対応付けて記憶するコンテンツ記憶手段をさらに備え、
前記判断手段は、前記コンテンツ記憶手段に記憶された前記優先順位と、前記視聴状況とに基づいて前記表示装置に表示すべきコンテンツを判断することを特徴とする請求項１０〜１５のいずれか１つに記載の表示制御装置。
【請求項１７】
前記判断手段が表示すべきと判断したコンテンツの視聴を促す情報を視聴者に通知する通知手段をさらに備えたことを特徴とする請求項１０〜１６のいずれか１つに記載の表示制御装置。
【請求項１８】
表示装置に表示するコンテンツの視聴が可能な領域である視聴領域に存在する視聴者を、前記視聴者が保有する携帯型情報記憶媒体により識別する視聴者識別装置が識別した前記視聴者の情報および前記視聴者を撮影する撮像装置が撮影した画像の入力を受付け、受付けた前記視聴者の情報および前記撮影した画像に基づき、前記視聴者の視聴状況を認識する視聴状況認識ステップと、
前記表示装置が表示しているコンテンツと、前記視聴状況認識ステップが認識した前記視聴状況とを対応付けて記憶する視聴状況記憶手段に記憶された前記視聴状況に基づいて前記表示装置に表示すべきコンテンツを判断する判断ステップと、
前記判断ステップが表示すべきと判断したコンテンツを出力する出力ステップと、
を備えたことを特徴とする表示制御方法。
【請求項１９】
前記視聴者識別装置が識別した前記視聴者の情報および前記撮像装置が撮影した画像の送受信を行う通信ステップをさらに備え、
前記視聴状況認識ステップは、前記通信ステップが受信した前記視聴者の情報および前記撮像装置が撮影した画像の入力を受付け、受付けた前記視聴者の情報および前記撮影した画像に基づき、前記視聴者の視聴状況を認識することを特徴とする請求項１８に記載の表示制御方法。
【請求項２０】
前記視聴状況認識ステップは、前記視聴状況として前記視聴者の顔の向きまたは視線の方向を認識し、
前記判断ステップは、前記視聴状況記憶手段に記憶された前記視聴者の顔の向きまたは視線の方向に基づいて前記表示装置に表示すべきコンテンツを判断することを特徴とする請求項１８または１９に記載の表示制御方法。
【請求項２１】
前記視聴状況認識ステップは、前記視聴状況として前記視聴者が前記視聴領域に存在するか否かを認識し、
前記判断ステップは、前記視聴者が前記視聴領域に存在するか否かに基づいて前記表示装置に表示すべきコンテンツを判断することを特徴とする請求項１８または１９に記載の表示制御方法。
【請求項２２】
前記視聴状況認識ステップは、前記視聴状況として前記視聴者の顔の表情を認識し、
前記判断ステップは、前記視聴状況記憶手段に記憶された前記視聴者の顔の表情に基づいて前記表示装置に表示すべきコンテンツを判断することを特徴とする請求項１８または１９に記載の表示制御方法。
【請求項２３】
前記視聴状況認識ステップは、音声入力装置が入力したコンテンツを視聴している視聴者が発する音声の入力を受付け、受付けた音声に基づいて前記視聴状況として前記視聴者のコンテンツに対する反応を認識し、
前記判断ステップは、前記視聴状況記憶手段に記憶された前記視聴者のコンテンツに対する反応に基づいて前記表示装置に表示すべきコンテンツを判断することを特徴とする請求項１８または１９に記載の表示制御方法。
【請求項２４】
前記判断ステップは、前記表示装置に表示するコンテンツとコンテンツを表示する優先順位とを対応付けて記憶するコンテンツ記憶手段に記憶された前記優先順位と、前記視聴状況とに基づいて前記表示装置に表示すべきコンテンツを判断することを特徴とする請求項１８〜２３のいずれか１つに記載の表示制御方法。
【請求項２５】
前記判断ステップが表示すべきと判断したコンテンツの視聴を促す情報を視聴者に通知する通知ステップをさらに備えたことを特徴とする請求項１８〜２４のいずれか１つに記載の表示制御方法。
【請求項２６】
請求項１８〜２５のいずれか１つに記載の表示制御方法をコンピュータに実行させるプログラム。
【発明の詳細な説明】
【技術分野】
【０００１】
本発明は、視聴者の視聴状況と対応付けてコンテンツを管理するコンテンツ管理システム、表示制御装置、表示制御方法、および表示制御プログラムに関する。
【背景技術】
【０００２】
従来、コンテンツを視聴する視聴者の実態を把握する技術としては、テレビ受像機に装着されたセンサーなどから視聴データを集計する視聴率調査方法が知られている。このような技術では、テレビ受像機等の装置単位で視聴実態を把握するため、個々の視聴者ごとの視聴状況を把握することは困難である。
【０００３】
個々の視聴者を識別する方法としては、視聴者を撮影した画像と、視聴者の属性に関する情報を記憶したＩＣカード等の記録媒体から取得した情報とを対応付けることにより、撮影した画像内の視聴者個人を特定する技術が提案されている（例えば、特許文献１）。また、視聴者の視聴状況を把握する方法に関連して、人の顔を撮影した画像から、顔の向きや視線、顔の表情などを認識し、それに応じて機器を制御する技術が提案されている（例えば、特許文献２）。
【０００４】
【特許文献１】特開２００４−１９４１３５号公報
【特許文献２】特開２００３−１９６６５５号公報
【発明の開示】
【発明が解決しようとする課題】
【０００５】
しかしながら、特許文献１の技術では、個々の視聴者を識別することができるが、その視聴者が特定のコンテンツを実際に視聴しているかどうかは判別できないという問題があった。また、特許文献２の技術では、顔の向きなどを認識して視聴者が実際にコンテンツを視聴しているか否かを判別することができるが、複数の視聴者が存在する場合に撮影した画像のみからでは個々の視聴者を識別するのが困難であるという問題があった。
【０００６】
本発明は、上記に鑑みてなされたものであって、コンテンツの視聴状況を、視聴者ごとに正確に把握して記録することができるコンテンツ管理システムを提供することを目的とする。
【課題を解決するための手段】
【０００７】
上述した課題を解決し、目的を達成するために、請求項１にかかる発明は、コンテンツを表示する表示装置と、前記表示装置に表示されたコンテンツの視聴が可能な領域である視聴領域に存在する視聴者を、前記視聴者が保有する携帯型情報記憶媒体により識別する視聴者識別装置と、前記視聴者識別装置が識別した前記視聴者を撮影する撮像装置と、前記表示装置に表示するコンテンツを管理し、コンテンツの表示を制御する表示制御装置と、を備えたコンテンツ管理システムにおいて、前記表示制御装置は、前記視聴者識別装置が識別した前記視聴者の情報および前記撮像装置が撮影した画像に基づき、前記視聴者の視聴状況を認識する視聴状況認識手段と、前記表示装置が表示しているコンテンツと、前記視聴状況認識手段が認識した前記視聴状況とを対応付けて記憶する視聴状況記憶手段と、を備えたことを特徴とする。
【０００８】
また、請求項２にかかる発明は、コンテンツを表示する表示装置と、前記表示装置に表示されたコンテンツの視聴が可能な領域である視聴領域に存在する視聴者を、前記視聴者が保有する携帯型情報記憶媒体により識別する視聴者識別装置と、前記視聴者識別装置が識別した前記視聴者を撮影する撮像装置と、前記表示装置に表示するコンテンツを管理し、コンテンツの表示を制御する表示制御装置と、前記視聴者識別装置が識別した前記視聴者の情報および前記撮像装置が撮影した画像および表示するコンテンツを含むコンテンツに関する情報の送受信を行う通信装置と、を備えたコンテンツ管理システムにおいて、前記表示制御装置は、少なくとも１つの前記通信装置との間で前記コンテンツに関する情報の送受信を行う通信手段をさらに備え、前記通信手段が受信した前記視聴者の情報および前記撮像装置が撮影した画像に基づき、前記視聴者の視聴状況を認識する視聴状況認識手段と、前記表示装置が表示しているコンテンツと、前記視聴状況認識手段が認識した前記視聴状況とを対応付けて記憶する視聴状況記憶手段と、を備えたことを特徴とする。
【０００９】
また、請求項３にかかる発明は、請求項１または２に記載のコンテンツ管理システムにおいて、前記表示制御装置は、前記視聴状況記憶手段に記憶された前記視聴状況に基づいて前記表示装置に表示すべきコンテンツを判断する判断手段をさらに備えたことを特徴とする。
【００１０】
また、請求項４にかかる発明は、請求項３に記載のコンテンツ管理システムにおいて、前記視聴状況認識手段は、前記視聴状況として前記視聴者の顔の向きまたは視線の方向を認識し、前記判断手段は、前記視聴状況記憶手段に記憶された前記視聴者の顔の向きまたは視線の方向に基づいて前記表示装置に表示すべきコンテンツを判断することを特徴とする。
【００１１】
また、請求項５にかかる発明は、請求項３に記載のコンテンツ管理システムにおいて、前記視聴状況認識手段は、前記視聴状況として前記視聴者が前記視聴領域に存在するか否かを認識し、前記判断手段は、前記視聴者が前記視聴領域に存在するか否かに基づいて前記表示装置に表示すべきコンテンツを判断することを特徴とする。
【００１２】
また、請求項６にかかる発明は、請求項３に記載のコンテンツ管理システムにおいて、前記視聴状況認識手段は、前記視聴状況として前記視聴者の顔の表情を認識し、前記判断手段は、前記視聴状況記憶手段に記憶された前記視聴者の顔の表情に基づいて前記表示装置に表示すべきコンテンツを判断することを特徴とする。
【００１３】
また、請求項７にかかる発明は、請求項３に記載のコンテンツ管理システムにおいて、コンテンツを視聴している視聴者が発する音声を入力する音声入力装置をさらに備え、前記視聴状況認識手段は、前記音声入力装置が入力した音声に基づき、前記視聴状況として前記視聴者のコンテンツに対する反応を認識し、前記判断手段は、前記視聴状況記憶手段に記憶された前記視聴者のコンテンツに対する反応に基づいて前記表示装置に表示すべきコンテンツを判断することを特徴とする。
【００１４】
また、請求項８にかかる発明は、請求項３〜７のいずれか１つに記載のコンテンツ管理システムにおいて、前記表示制御装置は、前記表示装置に表示するコンテンツと、コンテンツを表示する優先順位とを対応付けて記憶するコンテンツ記憶手段をさらに備え、前記判断手段は、前記コンテンツ記憶手段に記憶された前記優先順位と、前記視聴状況とに基づいて前記表示装置に表示すべきコンテンツを判断することを特徴とする。
【００１５】
また、請求項９にかかる発明は、請求項３〜７のいずれか１つに記載のコンテンツ管理システムにおいて、前記表示制御装置は、前記判断手段が表示すべきと判断したコンテンツの視聴を促す情報を視聴者に通知する通知手段をさらに備えたことを特徴とする。
【００１６】
また、請求項１０にかかる発明は、表示制御装置において、表示装置に表示するコンテンツの視聴が可能な領域である視聴領域に存在する視聴者を、前記視聴者が保有する携帯型情報記憶媒体により識別する視聴者識別装置が識別した前記視聴者の情報および前記視聴者を撮影する撮像装置が撮影した画像の入力を受付け、受付けた前記視聴者の情報および前記撮影した画像に基づき、前記視聴者の視聴状況を認識する視聴状況認識手段と、前記表示装置が表示しているコンテンツと、前記視聴状況認識手段が認識した前記視聴状況とを対応付けて記憶する視聴状況記憶手段と、前記視聴状況記憶手段に記憶された前記視聴状況に基づいて前記表示装置に表示すべきコンテンツを判断する判断手段と、前記判断手段が表示すべきと判断したコンテンツを出力する出力手段と、を備えたことを特徴とする。
【００１７】
また、請求項１１にかかる発明は、請求項１０に記載の表示制御装置において、前記視聴者識別装置が識別した前記視聴者の情報および前記撮像装置が撮影した画像の送受信を行う通信手段をさらに備え、前記視聴状況認識手段は、前記通信手段が受信した前記視聴者の情報および前記撮像装置が撮影した画像の入力を受付け、受付けた前記視聴者の情報および前記撮影した画像に基づき、前記視聴者の視聴状況を認識することを特徴とする。
【００１８】
また、請求項１２にかかる発明は、請求項１０または１１に記載の表示制御装置において、前記視聴状況認識手段は、前記視聴状況として前記視聴者の顔の向きまたは視線の方向を認識し、前記判断手段は、前記視聴状況記憶手段に記憶された前記視聴者の顔の向きまたは視線の方向に基づいて前記表示装置に表示すべきコンテンツを判断することを特徴とする。
【００１９】
また、請求項１３にかかる発明は、請求項１０または１１に記載の表示制御装置において、前記視聴状況認識手段は、前記視聴状況として前記視聴者が前記視聴領域に存在するか否かを認識し、前記判断手段は、前記視聴者が前記視聴領域に存在するか否かに基づいて前記表示装置に表示すべきコンテンツを判断することを特徴とする。
【００２０】
また、請求項１４にかかる発明は、請求項１０または１１に記載の表示制御装置において、前記視聴状況認識手段は、前記視聴状況として前記視聴者の顔の表情を認識し、前記判断手段は、前記視聴状況記憶手段に記憶された前記視聴者の顔の表情に基づいて前記表示装置に表示すべきコンテンツを判断することを特徴とする。
【００２１】
また、請求項１５にかかる発明は、請求項１０または１１に記載の表示制御装置において、前記視聴状況認識手段は、音声入力装置が入力したコンテンツを視聴している視聴者が発する音声の入力を受付け、受付けた音声に基づいて前記視聴状況として前記視聴者のコンテンツに対する反応を認識し、前記判断手段は、前記視聴状況記憶手段に記憶された前記視聴者のコンテンツに対する反応に基づいて前記表示装置に表示すべきコンテンツを判断することを特徴とする。
【００２２】
また、請求項１６にかかる発明は、請求項１０〜１５のいずれか１つに記載の表示制御装置において、前記表示装置に表示するコンテンツと、コンテンツを表示する優先順位とを対応付けて記憶するコンテンツ記憶手段をさらに備え、前記判断手段は、前記コンテンツ記憶手段に記憶された前記優先順位と、前記視聴状況とに基づいて前記表示装置に表示すべきコンテンツを判断することを特徴とする。
【００２３】
また、請求項１７にかかる発明は、請求項１０〜１６のいずれか１つに記載の表示制御装置において、前記判断手段が表示すべきと判断したコンテンツの視聴を促す情報を視聴者に通知する通知手段をさらに備えたことを特徴とする。
【００２４】
また、請求項１８にかかる発明は、表示制御方法において、表示装置に表示するコンテンツの視聴が可能な領域である視聴領域に存在する視聴者を、前記視聴者が保有する携帯型情報記憶媒体により識別する視聴者識別装置が識別した前記視聴者の情報および前記視聴者を撮影する撮像装置が撮影した画像の入力を受付け、受付けた前記視聴者の情報および前記撮影した画像に基づき、前記視聴者の視聴状況を認識する視聴状況認識ステップと、前記表示装置が表示しているコンテンツと、前記視聴状況認識ステップが認識した前記視聴状況とを対応付けて記憶する視聴状況記憶手段に記憶された前記視聴状況に基づいて前記表示装置に表示すべきコンテンツを判断する判断ステップと、前記判断ステップが表示すべきと判断したコンテンツを出力する出力ステップと、を備えたことを特徴とする。
【００２５】
また、請求項１９にかかる発明は、請求項１８に記載の表示制御方法において、前記視聴者識別装置が識別した前記視聴者の情報および前記撮像装置が撮影した画像の送受信を行う通信ステップをさらに備え、前記視聴状況認識ステップは、前記通信ステップが受信した前記視聴者の情報および前記撮像装置が撮影した画像の入力を受付け、受付けた前記視聴者の情報および前記撮影した画像に基づき、前記視聴者の視聴状況を認識することを特徴とする。
【００２６】
また、請求項２０にかかる発明は、請求項１８または１９に記載の表示制御方法において、前記視聴状況認識ステップは、前記視聴状況として前記視聴者の顔の向きまたは視線の方向を認識し、前記判断ステップは、前記視聴状況記憶手段に記憶された前記視聴者の顔の向きまたは視線の方向に基づいて前記表示装置に表示すべきコンテンツを判断することを特徴とする。
【００２７】
また、請求項２１にかかる発明は、請求項１８または１９に記載の表示制御方法において、前記視聴状況認識ステップは、前記視聴状況として前記視聴者が前記視聴領域に存在するか否かを認識し、前記判断ステップは、前記視聴者が前記視聴領域に存在するか否かに基づいて前記表示装置に表示すべきコンテンツを判断することを特徴とする。
【００２８】
また、請求項２２にかかる発明は、請求項１８または１９に記載の表示制御方法において、前記視聴状況認識ステップは、前記視聴状況として前記視聴者の顔の表情を認識し、前記判断ステップは、前記視聴状況記憶手段に記憶された前記視聴者の顔の表情に基づいて前記表示装置に表示すべきコンテンツを判断することを特徴とする。
【００２９】
また、請求項２３にかかる発明は、請求項１８または１９に記載の表示制御方法において、前記視聴状況認識ステップは、音声入力装置が入力したコンテンツを視聴している視聴者が発する音声の入力を受付け、受付けた音声に基づいて前記視聴状況として前記視聴者のコンテンツに対する反応を認識し、前記判断ステップは、前記視聴状況記憶手段に記憶された前記視聴者のコンテンツに対する反応に基づいて前記表示装置に表示すべきコンテンツを判断することを特徴とする。
【００３０】
また、請求項２４にかかる発明は、請求項１８〜２３のいずれか１つに記載の表示制御方法において、前記判断ステップは、前記表示装置に表示するコンテンツとコンテンツを表示する優先順位とを対応付けて記憶するコンテンツ記憶手段に記憶された前記優先順位と、前記視聴状況とに基づいて前記表示装置に表示すべきコンテンツを判断することを特徴とする。
【００３１】
また、請求項２５にかかる発明は、請求項１８〜２４のいずれか１つに記載の表示制御方法において、前記判断ステップが表示すべきと判断したコンテンツの視聴を促す情報を視聴者に通知する通知ステップをさらに備えたことを特徴とする。
【００３２】
また、請求項２６にかかる発明は、請求項１８〜２５のいずれか１つに記載の表示制御方法をコンピュータに実行させるプログラムである。
【発明の効果】
【００３３】
請求項１にかかる発明によれば、コンテンツと、コンテンツを視聴している個々の視聴者の視聴状況とを対応付けて記憶することができる。このため、各コンテンツの視聴状況を個々の視聴者ごとに正確に記録することができるという効果を奏する。
【００３４】
また、請求項２にかかる発明によれば、コンテンツと、複数の表示装置においてコンテンツを視聴している個々の視聴者の視聴状況とを対応付けて記憶することができる。このため、複数の表示装置における各コンテンツの視聴状況を集計して、個々の視聴者ごとに正確に記録することができるという効果を奏する。
【００３５】
また、請求項３にかかる発明によれば、記録した視聴状況に基づいて表示すべきコンテンツを判断することができるため、個々の視聴者の視聴状況に応じてコンテンツの表示内容を制御することができるという効果を奏する。
【００３６】
また、請求項４にかかる発明によれば、視聴者の顔の向きまたは視線の方向を認識し、それに基づいて表示すべきコンテンツを判断することができる。このため、視聴者が実際にコンテンツを視聴していたか否かに基づいてコンテンツの表示内容を制御することができるという効果を奏する。
【００３７】
また、請求項５にかかる発明によれば、視聴者がコンテンツを視聴できる領域に存在するか否かを認識し、それに基づいて表示すべきコンテンツを判断することができる。このため、コンテンツを視聴できる領域に存在する視聴者に対して適切なコンテンツを表示することができるという効果を奏する。
【００３８】
また、請求項６にかかる発明によれば、視聴者の顔の表情を認識し、それに基づいて表示すべきコンテンツを判断することができる。このため、視聴者の興味を引いたコンテンツを正確に記録することができるとともに、視聴者の興味を引いたコンテンツを他の視聴者に対して表示することができるという効果を奏する。
【００３９】
また、請求項７にかかる発明によれば、視聴者の発した音声から視聴者のコンテンツに対する反応を認識し、それに基づいて表示すべきコンテンツを判断することができる。このため、視聴者の興味を引いたコンテンツを正確に記録することができるとともに、視聴者の興味を引いたコンテンツを他の視聴者に対して表示することができるという効果を奏する。
【００４０】
また、請求項８にかかる発明によれば、コンテンツを表示する優先順位と視聴状況とに基づいて表示すべきコンテンツを判断することができる。このため、個々の視聴者の視聴状況だけでなく、コンテンツの優先順位に応じてコンテンツの表示内容を制御することができるという効果を奏する。
【００４１】
また、請求項９にかかる発明によれば、表示すべきコンテンツの視聴を促す情報を視聴者に通知することができるため、重要なコンテンツの視聴を徹底させることができるという効果を奏する。
【００４２】
また、請求項１０にかかる発明によれば、コンテンツと、コンテンツを視聴している個々の視聴者の視聴状況とを対応付けて記憶し、記憶した視聴状況に基づいて表示すべきコンテンツを判断することができる。このため、各コンテンツの視聴状況を個々の視聴者ごとに正確に記録することができ、個々の視聴者の視聴状況に応じてコンテンツの表示内容を制御することができるという効果を奏する。
【００４３】
また、請求項１１にかかる発明によれば、コンテンツと、複数の表示装置においてコンテンツを視聴している個々の視聴者の視聴状況とを対応付けて記憶し、記憶した視聴状況に基づいて表示すべきコンテンツを判断することができる。このため、複数の表示装置における各コンテンツの視聴状況を集計して、個々の視聴者ごとに正確に記録することができ、個々の視聴者の視聴状況に応じてコンテンツの表示内容を制御することができるという効果を奏する。
【００４４】
また、請求項１２にかかる発明によれば、視聴者の顔の向きまたは視線の方向を認識し、それに基づいて表示すべきコンテンツを判断することができる。このため、視聴者が実際にコンテンツを視聴していたか否かに基づいてコンテンツの表示内容を制御することができるという効果を奏する。
【００４５】
また、請求項１３にかかる発明によれば、視聴者がコンテンツを視聴できる領域に存在するか否かを認識し、それに基づいて表示すべきコンテンツを判断することができる。このため、コンテンツを視聴できる領域に存在する視聴者に対して適切なコンテンツを表示することができるという効果を奏する。
【００４６】
また、請求項１４にかかる発明によれば、視聴者の顔の表情を認識し、それに基づいて表示すべきコンテンツを判断することができる。このため、視聴者の興味を引いたコンテンツを正確に記録することができるとともに、視聴者の興味を引いたコンテンツを他の視聴者に対して表示することができるという効果を奏する。
【００４７】
また、請求項１５にかかる発明によれば、視聴者の発した音声から視聴者のコンテンツに対する反応を認識し、それに基づいて表示すべきコンテンツを判断することができる。このため、視聴者の興味を引いたコンテンツを正確に記録することができるとともに、視聴者の興味を引いたコンテンツを他の視聴者に対して表示することができるという効果を奏する。
【００４８】
また、請求項１６にかかる発明によれば、コンテンツを表示する優先順位と視聴状況とに基づいて表示すべきコンテンツを判断することができる。このため、個々の視聴者の視聴状況だけでなく、コンテンツの優先順位に応じてコンテンツの表示内容を制御することができるという効果を奏する。
【００４９】
また、請求項１７にかかる発明によれば、表示すべきコンテンツの視聴を促す情報を視聴者に通知することができるため、重要なコンテンツの視聴を徹底させることができるという効果を奏する。
【００５０】
また、請求項１８にかかる発明によれば、コンテンツと、コンテンツを視聴している個々の視聴者の視聴状況とを対応付けて記憶し、記憶した視聴状況に基づいて表示すべきコンテンツを判断することができる。このため、各コンテンツの視聴状況を個々の視聴者ごとに正確に記録することができ、個々の視聴者の視聴状況に応じてコンテンツの表示内容を制御することができるという効果を奏する。
【００５１】
また、請求項１９にかかる発明によれば、コンテンツと、複数の表示装置においてコンテンツを視聴している個々の視聴者の視聴状況とを対応付けて記憶し、記憶した視聴状況に基づいて表示すべきコンテンツを判断することができる。このため、複数の表示装置における各コンテンツの視聴状況を集計して、個々の視聴者ごとに正確に記録することができ、個々の視聴者の視聴状況に応じてコンテンツの表示内容を制御することができるという効果を奏する。
【００５２】
また、請求項２０にかかる発明によれば、視聴者の顔の向きまたは視線の方向を認識し、それに基づいて表示すべきコンテンツを判断することができる。このため、視聴者が実際にコンテンツを視聴していたか否かに基づいてコンテンツの表示内容を制御することができるという効果を奏する。
【００５３】
また、請求項２１にかかる発明によれば、視聴者がコンテンツを視聴できる領域に存在するか否かを認識し、それに基づいて表示すべきコンテンツを判断することができる。このため、コンテンツを視聴できる領域に存在する視聴者に対して適切なコンテンツを表示することができるという効果を奏する。
【００５４】
また、請求項２２にかかる発明によれば、視聴者の顔の表情を認識し、それに基づいて表示すべきコンテンツを判断することができる。このため、視聴者の興味を引いたコンテンツを正確に記録することができるとともに、視聴者の興味を引いたコンテンツを他の視聴者に対して表示することができるという効果を奏する。
【００５５】
また、請求項２３にかかる発明によれば、視聴者の発した音声から視聴者のコンテンツに対する反応を認識し、それに基づいて表示すべきコンテンツを判断することができる。このため、視聴者の興味を引いたコンテンツを正確に記録することができるとともに、視聴者の興味を引いたコンテンツを他の視聴者に対して表示することができるという効果を奏する。
【００５６】
また、請求項２４にかかる発明によれば、コンテンツを表示する優先順位と視聴状況とに基づいて表示すべきコンテンツを判断することができる。このため、個々の視聴者の視聴状況だけでなく、コンテンツの優先順位に応じてコンテンツの表示内容を制御することができるという効果を奏する。
【００５７】
また、請求項２５にかかる発明によれば、表示すべきコンテンツの視聴を促す情報を視聴者に通知することができるため、重要なコンテンツの視聴を徹底させることができるという効果を奏する。
【００５８】
また、請求項２６の発明によれば、請求項１８〜２５に記載の表示制御方法をコンピュータに実行させることができるという効果を奏する。
【発明を実施するための最良の形態】
【００５９】
以下に添付図面を参照して、この発明にかかるコンテンツ管理システムの最良な実施の形態を詳細に説明する。
【００６０】
（第１の実施の形態）
第１の実施の形態にかかるコンテンツ管理システムは、視聴者識別装置、撮像装置、音声入力装置から入力した情報を用いて視聴者の視聴状況を認識し、表示しているコンテンツと対応付けて管理するとともに、表示装置におけるコンテンツの表示内容を的確に制御するものである。
【００６１】
図１は、本発明の第１の実施の形態にかかるコンテンツ管理システム１００の構成を示すブロック図である。同図に示すように、コンテンツ管理システム１００は、表示装置１０１と、視聴者識別装置１０２と、撮像装置１０３と、音声入力装置１０４と、表示制御装置１１０と、ＩＤカード１２０とを備えている。
【００６２】
表示装置１０１は、ＣＲＴ（Ｃａｔｈｏｄｅ  Ｒａｙ  Ｔｕｂｅ）あるいはＬＣＤ（ｌｉｑｕｉｄ  ｃｒｙｓｔａｌ  ｍｏｎｉｔｏｒ）などのディスプレイで構成され、動画像、静止画像などの画像情報や、文字情報などのコンテンツを表示する装置である。本発明は、複数の視聴者によって視聴されるコンテンツの視聴状況を把握することが目的であるため、表示装置１０１は、複数の視聴者によって閲覧が可能な表示装置であり、例えば、食堂、休憩所などの共有スペースに設置された大型の表示装置を想定している。
【００６３】
ＩＤカード１２０は、ＲＦＩＤ（Ｒａｄｉｏ  Ｆｒｅｑｕｅｎｃｙ  Ｉｄｅｎｔｉｆｉｃａｔｉｏｎ）、Ｂｌｕｅｔｏｏｔｈ対応の携帯電話、無線ＩＣ（Ｉｎｔｅｇｒａｔｅｄ  Ｃｉｒｃｕｉｔ）カード、無線機能付きＰＤＡ（Ｐｅｒｓｏｎａｌ  Ｄｉｇｉｔａｌ  Ａｓｓｉｓｔａｎｃｅ）、赤外線タグ、バーコード、２次元バーコードなどを利用した携帯型情報記憶媒体であり、視聴者を識別するための情報を格納するものである。ＩＤカード１２０には、視聴者を識別するための情報として、少なくとも視聴者を一意に識別することができる視聴者ＩＤが保存される。
【００６４】
視聴者識別装置１０２は、ＩＤカード１２０に記憶された視聴者の情報を読み取ることにより視聴者を識別する非接触型の識別装置である。視聴者識別装置１０２は、表示装置１０１に表示されるコンテンツの視聴が可能な領域（以下、視聴領域という。）に入った視聴者を識別できるように、表示装置１０１の近傍に設置される。
【００６５】
撮像装置１０３は、表示装置１０１の近傍に設置され、表示装置１０１の視聴領域に入った視聴者を撮影するものであり、デジタルカメラ、ビデオカメラなどの一般的に用いられるあらゆる撮像装置により構成することができる。
【００６６】
音声入力装置１０４は、表示装置１０１の近傍に設置され、視聴者が発した歓声や笑い声、拍手などの音声を入力するものであり、マイクロフォンなどの一般的に用いられるあらゆる音声入力装置により構成することができる。
【００６７】
表示制御装置１１０は、表示装置１０１に表示するコンテンツを記憶手段に記憶して管理するとともに、視聴者の視聴状況に合わせて表示するコンテンツを制御するものである。図１に示すように、表示制御装置１１０は、視聴状況認識部１１１と、記憶制御部１１２と、判断部１１３と、通知部１１４と、コンテンツ記憶部１１５と、視聴状況記憶部１１６とを備えている。
【００６８】
視聴状況認識部１１１は、視聴者識別装置１０２が視聴者を識別したか否かにより、視聴者が視聴領域に存在するか否かを視聴状況として認識するものである。また、撮像装置１０３が撮影した画像から視聴者の顔の向き・視線、顔の表情を視聴状況として認識するものである。さらに、音声入力装置１０４が入力した音声から歓声や拍手といった視聴者のコンテンツに対する反応を視聴状況として認識するものである。
【００６９】
視聴者が視聴領域に存在するか否かは、上述の視聴者識別装置１０２により視聴者が識別されたか否かにより判断することができる。画像から顔の向き・視線を認識する方法としては、上述の特許文献２に記載された方法などの一般的に利用されるあらゆる方法を適用することができる。顔の向き・視線を認識することにより、視聴者が表示されたコンテンツを実際に視聴しているか否かを判定することが可能となる。
【００７０】
また、画像から顔の表情を認識する方法としては、オプティカルフローを用いた方法、隠れマルコフモデルを用いた方法などを適用することができる。また、マイクロフォン等で入力した音声から歓声や拍手などを認識する方法としては、スペクトル分析法、ＬＰＣ法などを適用することができる。なお、これらは一例であり、これ以外の従来から用いられているあらゆる方法を適用するように本発明を構成することができる。
【００７１】
記憶制御部１１２は、コンテンツ記憶部１１５から表示するコンテンツを読み出して出力する処理、およびコンテンツと当該コンテンツに対する視聴者の視聴状況を対応付けて視聴状況記憶部１１６に記憶する処理を実行するものである。記憶制御部１１２が、本発明における出力手段に相当する。
【００７２】
判断部１１３は、視聴状況記憶部１１６から、視聴領域に存在する視聴者の視聴状況を抽出し、抽出した視聴状況と、コンテンツ記憶部１１５から取得したコンテンツを表示する優先順位とから、次に視聴者に対して表示すべきコンテンツを判断するものである。
【００７３】
通知部１１４は、判断部１１３が表示すべきと判断したコンテンツの視聴を促す情報を視聴者に通知するものであり、例えば、メールにより通知するように構成することができる。なお、これは一例であり、コンテンツの視聴を促す情報を視聴者に通知するものであればあらゆる方法を適用することができる。
【００７４】
コンテンツ記憶部１１５は、表示装置１０１に表示するコンテンツを記憶する記憶手段であり、ＨＤＤ（Ｈａｒｄ  Ｄｉｓｋ  Ｄｒｉｖｅ）、光ディスク、メモリカードなどの一般的に用いられるあらゆる記憶手段により構成することができる。コンテンツ記憶部１１５は、コンテンツ管理テーブル１１５ａにより、表示するコンテンツを記憶している。
【００７５】
図２は、コンテンツ管理テーブル１１５ａのデータ構造の一例を示す説明図である。同図に示すように、コンテンツ管理テーブル１１５ａは、コンテンツを一意に識別するためのコンテンツＩＤと、コンテンツ名と、コンテンツの長さ（撮影時間）と、表示する優先順位とを対応付けて格納している。
【００７６】
視聴状況記憶部１１６は、コンテンツ記憶部１１５に記憶されたコンテンツと、当該コンテンツの視聴状況とを対応付けて記憶する記憶手段であり、ＨＤＤ、光ディスク、メモリカードなどの一般的に用いられるあらゆる記憶手段により構成することができる。視聴状況記憶部１１６は、視聴時間テーブル１１６ａと、視聴状況テーブル１１６ｂと、音声テーブル１１６ｃとにより、コンテンツの視聴状況を記憶している。
【００７７】
視聴時間テーブル１１６ａは、視聴者が視聴領域に入ったときから出て行くときまでの時間に表示されていたコンテンツを管理するものである。視聴状況テーブル１１６ｂは、視聴時間テーブル１１６ａに格納された時間内に、視聴者がどのようにコンテンツを視聴していたかという視聴状況の詳細を格納するものである。音声テーブル１１６ｃは、コンテンツに対する視聴者の反応を音声により認識した結果を格納するものである。
【００７８】
図３は、視聴時間テーブル１１６ａのデータ構造の一例を示す説明図である。同図に示すように、視聴時間テーブル１１６ａは、視聴状況を一意に識別するための視聴状況ＩＤと、コンテンツＩＤと、視聴者を一意に識別するための視聴者ＩＤと、視聴領域に入場した位置（コンテンツの長さに対する相対値）と、視聴領域から退場した位置（コンテンツの長さに対する相対値）とを対応付けて格納している。
【００７９】
例えば、同図においては、コンテンツＩＤ＝０００１で識別されるコンテンツの表示中に、視聴者ＩＤ＝１００１で識別される視聴者が、コンテンツの最初（視聴領域入場＝０分）から、コンテンツの最後（視聴領域退場＝１５分は、コンテンツの長さ＝１５分と同一）まで、視聴領域にいた場合に、視聴時間テーブル１１６ａに格納されるデータが示されている。
【００８０】
図４は、視聴状況テーブル１１６ｂのデータ構造の一例を示す説明図である。同図に示すように、視聴状況テーブル１１６ｂは、視聴状況を一意に識別するための視聴状況ＩＤと、視聴を開始した位置（コンテンツの長さに対する相対値）と、視聴を終了した位置（コンテンツの長さに対する相対値）と、視聴状況とを対応付けて格納している。
【００８１】
例えば、同図においては、視聴時間テーブル１１６ａの視聴状況ＩＤ＝２００１で表されるデータに対応して、視聴開始位置が０分、５分、および１０分の３つに細分化された時間における視聴状況が格納されている。具体的には、視聴開始・終了が０分から５分の場合は、表示装置１０１に視聴者の視線が向いていなかったことから「視聴していない」という視聴状況が、５分から１０分の場合は、顔の表情から「悲しみ」という視聴状況が、１０分から１５分の場合は、顔の表情から「驚き」という視聴状況がそれぞれ格納されている。
【００８２】
図５は、音声テーブル１１６ｃのデータ構造の一例を示す説明図である。同図に示すように、音声テーブル１１６ｃは、コンテンツＩＤと、視聴者ＩＤと、音声認識開始位置（コンテンツの長さに対する相対値）と、音声認識終了位置（コンテンツの長さに対する相対値）と、音声認識結果とを対応付けて格納している。
【００８３】
例えば、同図においては、コンテンツＩＤ＝０００１で表されるコンテンツを、視聴者ＩＤ＝１００１で表される視聴者が視聴し、コンテンツ表示開始から３分の時点から４分の時点において歓声が沸いたという視聴状況が格納されている。
【００８４】
次に、このように構成された第１の実施の形態にかかるコンテンツ管理システム１００によるコンテンツ表示・視聴状況記憶処理について説明する。図６は、第１の実施の形態におけるコンテンツ表示・視聴状況記憶処理の全体の流れを示すフローチャートである。
【００８５】
まず、視聴者識別装置１０２が、表示装置１０１の前にいる視聴者、すなわち、表示装置１０１の視聴領域に入っている視聴者を、当該視聴者が保有しているＩＤカード１２０に記憶された情報を読み取ることにより識別する（ステップＳ６０１）。例えば、ＩＤカード１２０に視聴者ＩＤを記憶しておくことにより、視聴者識別装置１０２が、視聴者ＩＤを読み取って視聴者を識別することができる。
【００８６】
次に、表示制御装置１１０の判断部１１３が、ステップＳ６０１で認識された視聴者の視聴状況を、視聴者ＩＤを検索キーとして視聴状況記憶部１１６から抽出する（ステップＳ６０２）。具体的には、ステップＳ６０１で認識された視聴者の視聴者ＩＤと一致する視聴者ＩＤを含むデータを、視聴時間テーブル１１６ａから検索し、検索したデータに含まれる視聴状況ＩＤを含むデータを、視聴状況テーブル１１６ｂから抽出する。
【００８７】
次に、判断部１１３が、ステップＳ６０２において抽出した視聴状況と、コンテンツ管理テーブル１１５ａに格納されたコンテンツ表示の優先順位とから、表示装置１０１に表示すべきコンテンツを判断する（ステップＳ６０３）。
【００８８】
例えば、図２から４に示す例では、視聴者ＩＤ＝１００１の視聴者は、コンテンツＩＤ＝０００１のコンテンツの０分から５分の内容を「視聴していない」という視聴状況が抽出されるため、コンテンツＩＤ＝０００１のコンテンツを再度表示すべきと判断するように構成することができる。なお、例えばコンテンツＩＤ＝０００２のコンテンツも「視聴していない」と判断されたときは、コンテンツ管理テーブル１１５ａに格納された優先順位の高いコンテンツＩＤ＝０００１（優先順位＝１）を、表示すべきコンテンツとして選択する。
【００８９】
このように、視聴状況認識部１１１が認識した視聴者の顔の向き・視線から、「視聴していない」などの視聴状況を得て、得られた視聴状況により、どのコンテンツを次に表示すべきか判断するように構成することができる。なお、ここでは過去の視聴状況を用いて表示するコンテンツを判断したが、視聴者が現在、表示装置１０１に対して視線を向けているか否かを認識し、その結果により、視線を向けている視聴者を対象として表示すべきコンテンツを判断するように構成してもよい。
【００９０】
また、視聴時間テーブル１１６ａのみを用いて表示すべきコンテンツを判断するように構成してもよい。例えば、図３に示すように、コンテンツＩＤ＝０００１かつ視聴者ＩＤ＝１００３で表されるデータが視聴時間テーブル１１６ａに存在しない場合、当該視聴者ＩＤで識別される視聴者は、コンテンツＩＤ＝０００１で識別されるコンテンツ表示時に視聴領域に存在しなかった、すなわち、当該コンテンツを全く視聴していないことを意味する。
【００９１】
したがって、視聴者ＩＤ＝１００３で識別される視聴者に対し、コンテンツＩＤ＝０００１で識別されるコンテンツを次に表示すべきと判断してもよい。この際、視聴者ＩＤ＝１００３で識別される視聴者が、現在、表示装置１０１に対して視線を向けているか否かに関係なく、そのコンテンツを表示するように構成してもよい。既に視聴したコンテンツが表示されているため、当該視聴者が表示装置１０１に対して視線をむけていない場合もあるからである。
【００９２】
このように、視聴者が視聴領域に存在したか否かのみにより、どのコンテンツを次に表示すべきか判断するように構成することができる。この他、視聴者の顔の表情、または、音声認識の結果得られた視聴者の反応により、どのコンテンツを次に表示すべきか判断するように構成してもよい。
【００９３】
例えば、他の視聴者があるコンテンツに対して示した顔の表情や、歓声・拍手といった音声による反応から、最も視聴者の興味を引くコンテンツを選択し、当該コンテンツをまだ見ていない視聴者に対し優先して表示するように構成することができる。
【００９４】
ステップＳ６０３において、判断部１１３が表示すべきコンテンツを判断した後、記憶制御部１１２が、そのコンテンツをコンテンツ記憶部１１５から取得し、表示装置１０１に対して出力する（ステップＳ６０４）。
【００９５】
次に、表示装置１０１が、記憶制御部１１２から出力されたコンテンツを表示し（ステップＳ６０５）、撮像装置１０３が、当該コンテンツを視聴している視聴者を撮影するとともに（ステップＳ６０６）、音声入力装置１０４が、視聴者の発する音声を入力する（ステップＳ６０７）。
【００９６】
次に、視聴状況認識部１１１が、撮像装置１０３により撮影された画像と、音声入力装置１０４により入力された音声とから、視聴者の視聴状況を認識する（ステップＳ６０８）。具体的には、上述のように、画像から視聴者の顔の向き・視線を認識して実際に視聴しているか否かを判定するとともに、視聴者の顔の表情を認識する。また、音声から視聴者がコンテンツに対して示す歓声・拍手といった反応を認識する。
【００９７】
また、コンテンツを表示中に視聴者が視聴領域を立ち去った場合には、視聴状況認識部１１１は、視聴者識別装置１０２が当該視聴者を識別できなくなったという結果を用いて、視聴者が視聴領域に存在しなくなったという視聴状況を認識することができる。
【００９８】
次に、記憶制御部１１２が、表示しているコンテンツのコンテンツＩＤと、視聴領域に存在する視聴者の視聴者ＩＤと、視聴状況認識部１１１が認識した視聴状況とを対応付けて、視聴状況記憶部１１６に記憶する（ステップＳ６０９）。このようにして、表示したコンテンツの視聴状況を個々の視聴者ごとに正確に記憶することができ、コンテンツ内容の評価や、次にコンテンツを表示する際の判断の基準とすることが可能となる。
【００９９】
例えば、コンテンツ表示中に視聴者が立ち去ったこと、視聴者の顔の表情、音声による反応を認識し、それを記憶することができるため、コンテンツのどの部分が視聴者の興味を引いたのか、どの部分を改善すべきかなどを判断することができる。
【０１００】
次に、視聴者識別装置１０２が、表示装置１０１の前、すなわち、視聴領域に視聴者が存在するか否かを判断し（ステップＳ６１０）、存在する場合は（ステップＳ６１０：ＹＥＳ）、ステップＳ６０１に戻り処理を繰り返す。視聴者が存在しない場合は（ステップＳ６１０：ＮＯ）、コンテンツ表示・視聴状況記憶処理を終了する。
【０１０１】
なお、判断部１１３が表示すべきと判断したコンテンツの視聴を促す情報を、通知部１１４が、視聴者にメールなどにより通知するように構成してもよい。例えば、ステップＳ６０３において表示すべきコンテンツを判断してから、ステップＳ６０５において表示装置１０１に表示するまでの間に、当該コンテンツを視聴すべき視聴者に対してこれからコンテンツの表示が開始される旨を記載したメールを通知部１１４が送信するように構成することができる。この際、優先順位が一定の閾値より高い場合にのみメールを送信するように構成してもよい。
【０１０２】
このような通知機能を持たせることにより、視聴状況を正確に記憶して視聴者に対して表示すべきコンテンツを的確に判断できるだけでなく、重要なコンテンツの視聴を徹底させることができるという利点がある。
【０１０３】
また、表示装置１０１の前に複数の視聴者が存在する場合は、個々の視聴者ごとに表示すべきコンテンツを判断し、最も多くの視聴者に対して表示すべきと判断されたコンテンツを次に表示すべきコンテンツとして選択するように構成してもよい。この他、優先順位の高いコンテンツが存在するときは、表示すべきと判断された視聴者の数に関わらず優先して表示するように構成してもよい。
【０１０４】
以上のように、第１の実施の形態にかかるコンテンツ管理システムにおいては、表示装置に表示したコンテンツの視聴状況を、撮像装置で撮影した画像から認識した顔の向き・視線、顔の表情や、音声入力装置から認識した歓声・拍手などの視聴者のコンテンツに対する反応として得ることができ、これらを視聴者識別装置により個別に識別した視聴者ごとにコンテンツと対応付けて正確に記憶することができる。また、記憶した個々の視聴者の視聴状況を用いて次に表示すべきコンテンツを的確に判断することができる。
【０１０５】
（第２の実施の形態）
第２の実施の形態にかかるコンテンツ管理システムは、一組の表示装置、視聴者識別装置、撮像装置、音声入力装置ごとに一つの通信装置を備え、複数の通信装置から送信された視聴状況を受信する通信手段を備えた表示制御装置により、複数の表示装置におけるコンテンツの視聴状況をまとめて管理するとともに、複数の表示装置におけるコンテンツの表示内容を的確に制御するものである。
【０１０６】
図７は、本発明の第２の実施の形態にかかるコンテンツ管理システム７００の構成を示すブロック図である。同図に示すように、コンテンツ管理システム７００は、表示装置１０１と、視聴者識別装置１０２と、撮像装置１０３と、音声入力装置１０４と、通信装置７０５と、表示制御装置７１０と、ＩＤカード１２０とを備えている。また、通信装置７０５と、表示制御装置７１０とは、ネットワーク７３０を介して接続されている。なお、同図に示すように、第２の実施の形態においては、表示装置１０１、視聴者識別装置１０２、撮像装置１０３、音声入力装置１０４、通信装置７０５の５つの装置を一組とし、複数の組が１つの表示制御装置７１０に接続されるような構成となっている。
【０１０７】
表示制御装置７１０は、視聴状況認識部１１１と、記憶制御部１１２と、判断部１１３と、通知部１１４と、コンテンツ記憶部１１５と、視聴状況記憶部１１６と、通信部７１７とを備えている。
【０１０８】
第２の実施の形態におけるコンテンツ管理システム７００は、通信装置７０５を追加したこと、表示制御装置７１０に通信部７１７を追加したことが第１の実施の形態におけるコンテンツ管理システム１００と異なっている。その他の構成および機能は、第１の実施の形態にかかる構成を表すブロック図である図１と同様であるので、同一符号を付し、ここでの説明は省略する。
【０１０９】
通信装置７０５は、視聴者識別装置１０２が識別した視聴者の情報、撮像装置１０３が撮影した視聴者の画像、音声入力装置１０４が入力した視聴者が発した音声を、表示制御装置７１０に送信するものである。また、表示制御装置７１０から送信された、表示するコンテンツのデータを受信するものである。
【０１１０】
通信部７１７は、通信装置７０５が送信した視聴者の情報、画像、音声を受信するとともに、表示するコンテンツのデータを通信装置７０５に送信するものである。また、通信部７１７は、複数の通信装置からのデータの受信、複数の通信装置に対するデータの送信を行うものである。
【０１１１】
なお、ネットワーク７３０は、有線ＬＡＮ（Ｌｏｃａｌ  Ａｒｅａ  Ｎｅｔｗｏｒｋ）、または無線ＬＡＮ、またはインターネットでもよいし、これら以外のあらゆるネットワーク構成を適用することができる。また、通信装置７０５と通信部７１７との間の通信プロトコルは、ＴＣＰ／ＩＰ（Ｔｒａｎｓｍｉｓｓｉｏｎ  Ｃｏｎｔｒｏｌ  Ｐｒｏｔｏｃｏｌ/Ｉｎｔｅｒｎｅｔ  Ｐｒｏｔｏｃｏｌ）などの一般的に用いられているあらゆるプロトコルを適用することができる。
【０１１２】
次に、このように構成された第２の実施の形態にかかるコンテンツ管理システム７００によるコンテンツ表示・視聴状況記憶処理について説明する。図８は、第２の実施の形態におけるコンテンツ表示・視聴状況記憶処理の全体の流れを示すフローチャートである。第２の実施の形態においては、表示制御装置７１０に対するデータの送受信を、通信装置７０５を介して行う点が、第１の実施の形態におけるコンテンツ表示・視聴状況記憶処理と異なっている。
【０１１３】
具体的には、まず、ステップＳ８０１において視聴者識別装置１０２が識別した視聴者の情報を、通信装置７０５が表示制御装置７１０に送信し（ステップＳ８０２）、表示制御装置７１０の通信部７１７がそれを受信する点（ステップＳ８０３）が異なる。
【０１１４】
また、ステップＳ８０６において記憶制御部１１２が出力したコンテンツを、通信部７１７が各表示装置に対して送信し（ステップＳ８０７）、各表示装置に対応する通信装置７０５がそれを受信する点（ステップＳ８０８）が異なる。
【０１１５】
さらに、ステップＳ８１０およびステップＳ８１１において撮像装置１０３が撮影した画像および音声入力装置１０４が入力した音声を、通信装置７０５が送信し（ステップＳ８１２）、それを通信部７１７が受信する点（ステップＳ８１３）が異なる。
【０１１６】
これ以外の処理は、ステップＳ８０１はステップＳ６０１、ステップＳ８０４〜ステップＳ８０６はステップＳ６０２〜ステップＳ６０４、ステップＳ８０９〜ステップＳ８１１はステップＳ６０５〜ステップＳ６０７、ステップＳ８１４〜ステップＳ８１５はステップＳ６０８〜ステップＳ６０９、ステップＳ８１６はステップＳ６１０に、それぞれ対応しており、その処理内容は同様であるのでその説明を省略する。
【０１１７】
以上のように、第２の実施の形態においては、複数の通信装置７０５および表示制御装置７１０の通信部７１７により、コンテンツ表示に関する情報の送受信を行うため、複数の通信装置７０５により認識された個々の視聴者の視聴状況をまとめて管理することが可能となる。したがって、ある表示装置で表示したコンテンツを、別の表示装置で重複して表示しないようにするといった表示内容の制御ができるようになるという利点がある。
【０１１８】
また、複数の表示装置で同じ内容のコンテンツを表示するのではなく、各表示装置の視聴領域に存在する視聴者を視聴者識別装置１０２により識別し、識別した視聴者に応じて、各表示装置に表示するコンテンツを変更するといった表示制御が可能となる。
【０１１９】
（変形例）
なお、本発明は、上述した第１の実施の形態および第２の実施の形態に限定されるものではなく、以下に例示するような種々の変形が可能である。
【０１２０】
これまでは、視聴状況を管理する単位としてコンテンツを１単位として考えていたが、以下のように、コンテンツをさらに細分化したシーンを１単位として視聴状況を管理するように構成してもよい。これにより、各コンテンツに対する個々の視聴者の視聴状況をさらに正確に把握することが可能となる。
【０１２１】
図９〜図１１は、シーンごとに視聴状況を管理する場合の、コンテンツ記憶部１１５および視聴状況記憶部１１６の一例を示した説明図である。図９は、コンテンツ管理テーブル９１５ａのデータ構造の一例を示す説明図である。
【０１２２】
図９に示すように、コンテンツ管理テーブル９１５ａは、コンテンツを一意に識別するためのコンテンツＩＤと、当該コンテンツに含まれるシーンを一意に識別するためのシーンＩＤと、シーン名と、シーンの長さと、優先順位とを対応付けて格納している。このように、コンテンツ管理テーブル９１５ａは、１つのコンテンツをシーンＩＤで識別される複数のシーンに分割し、シーンごとに名称、長さ、優先順位を管理する点が、上述したコンテンツ管理テーブル１１５ａと異なっている。なお、コンテンツ単位にコンテンツ名、コンテンツの長さ、および優先順位を管理するテーブルを別に設けるように構成してもよい。
【０１２３】
図１０は、視聴時間テーブル１０１６ａのデータ構造の一例を示す説明図である。同図に示すように、視聴時間テーブル１０１６ａは、視聴状況を一意に識別するための視聴状況ＩＤと、シーンＩＤと、視聴者を一意に識別するための視聴者ＩＤと、視聴領域に入場した位置と、視聴領域から退場した位置とを対応付けて格納している。上述した視聴時間テーブル１１６ａとは、コンテンツＩＤの代わりにシーンＩＤを格納している点が異なっている。このようなデータ構造とすることにより、シーンごとの視聴状況の格納が可能となる。
【０１２４】
図１１は、音声テーブル１１１６ｃのデータ構造の一例を示す説明図である。同図に示すように、音声テーブル１１１６ｃは、シーンＩＤと、視聴者ＩＤと、音声認識開始位置と、音声認識終了位置と、音声認識結果とを対応付けて格納している。上述した音声テーブル１１６ｃとは、コンテンツＩＤの代わりにシーンＩＤを格納している点が異なっている。このようなデータ構造とすることにより、シーンごとの音声認識結果の格納が可能となる。
【０１２５】
図１２は、第１および第２の実施の形態にかかる表示制御装置のハードウェア構成を示す説明図である。同図に示すように、第１および第２の実施の形態の表示制御装置は、ＣＰＵ（Ｃｅｎｔｒａｌ  Ｐｒｏｃｅｓｓｉｎｇ  Ｕｎｉｔ）１２０１などの制御装置と、ＲＯＭ（Ｒｅａｄ  Ｏｎｌｙ  Ｍｅｍｏｒｙ）１２０２やＲＡＭ（Ｒａｎｄｏｍ  Ａｃｃｅｓｓ  Ｍｅｍｏｒｙ）１２０３などの記憶装置と、通信Ｉ／Ｆ１２０４と、これら各部を接続するバス１２１０とを備えるほか、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【０１２６】
第１および第２の実施の形態の表示制御装置で実行される表示制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１２７】
また、第１および第２の実施の形態の表示制御装置で実行される表示制御プログラムを、インターネット等のネットワークに接続されたコンピュータ上に格納し、ネットワーク経由でダウンロードさせることにより提供するように構成しても良い。また、第１および第２の実施の形態の表示制御装置で実行される表示制御プログラムをインターネット等のネットワーク経由で提供または配布するように構成しても良い。
【０１２８】
また、第１および第２の実施の形態の表示制御プログラムを、ＲＯＭ等に予め組み込んで提供するように構成してもよい。
【０１２９】
第１および第２の実施の形態の表示制御装置で実行される表示制御プログラムは、上述した各部（視聴状況認識部、判断部、記憶制御部、通知部、通信部）を含むモジュール構成となっており、実際のハードウェアとしてはＣＰＵ（プロセッサ）が上記記憶媒体から表示制御プログラムを読み出して実行することにより上記各部が主記憶装置上にロードされ主記憶装置上に生成されるようになっている。
【産業上の利用可能性】
【０１３０】
以上のように、本発明にかかるコンテンツ管理システム、表示制御装置、表示制御方法、および表示制御プログラムは、コンテンツの視聴状況を管理し、視聴状況に応じて表示するコンテンツを制御するコンテンツ管理システム、表示制御装置に適している。
【図面の簡単な説明】
【０１３１】
【図１】第１の実施の形態にかかるコンテンツ管理システムの構成を示すブロック図である。
【図２】コンテンツ管理テーブルのデータ構造の一例を示す説明図である。
【図３】視聴時間テーブルのデータ構造の一例を示す説明図である。
【図４】視聴状況テーブルのデータ構造の一例を示す説明図である。
【図５】音声テーブルのデータ構造の一例を示す説明図である。
【図６】第１の実施の形態におけるコンテンツ表示・視聴状況記憶処理の全体の流れを示すフローチャートである。
【図７】第２の実施の形態にかかるコンテンツ管理システムの構成を示すブロック図である。
【図８】第２の実施の形態におけるコンテンツ表示・視聴状況記憶処理の全体の流れを示すフローチャートである。
【図９】コンテンツ管理テーブルのデータ構造の一例を示す説明図である。
【図１０】視聴時間テーブルのデータ構造の一例を示す説明図である。
【図１１】音声テーブルのデータ構造の一例を示す説明図である。
【図１２】表示制御装置のハードウェア構成を示す説明図である。
【符号の説明】
【０１３２】
１００  コンテンツ管理システム
１０１  表示装置
１０２  視聴者識別装置
１０３  撮像装置
１０４  音声入力装置
１１０  表示制御装置
１１１  視聴状況認識部
１１２  記憶制御部
１１３  判断部
１１４  通知部
１１５  コンテンツ記憶部
１１５ａ  コンテンツ管理テーブル
１１６  視聴状況記憶部
１１６ａ  視聴時間テーブル
１１６ｂ  視聴状況テーブル
１１６ｃ  音声テーブル
１２０  ＩＤカード
７００  コンテンツ管理システム
７０５  通信装置
７１０  表示制御装置
７１７  通信部
７３０  ネットワーク
９１５ａ  コンテンツ管理テーブル
１０１６ａ  視聴時間テーブル
１１１６ｃ  音声テーブル
１２０１  ＣＰＵ
１２０２  ＲＯＭ
１２０３  ＲＡＭ
１２０４  通信Ｉ／Ｆ
１２１０  バス
【図１】
2006260275.tif 000003
【図２】
2006260275.tif 000004
【図３】
2006260275.tif 000005
【図４】
2006260275.tif 000006
【図５】
2006260275.tif 000007
【図６】
2006260275.tif 000008
【図７】
2006260275.tif 000009
【図８】
2006260275.tif 000010
【図９】
2006260275.tif 000011
【図１０】
2006260275.tif 000012
【図１１】
2006260275.tif 000013
【図１２】
2006260275.tif 000014